(57)【要約】      （修正有）【課題】使用上の便利さや作業効率を向上させる歯科用顕微装置を提供する。【解決手段】歯科用顕微装置１００は、所定の上下方向Ｌ１に沿って離間する両端部２１１、２１２と、上下方向Ｌ１と略直交する左右方向Ｌ２に沿って離間する両側面２１３と、があるように構成された本体部２１と、本体部２１の上端部２１１に配置された接眼レンズ２２と、本体部２１の下端部２１２に配置された対物レンズ２３と、を有する顕微鏡２と、両端のある長尺状となって、力を受けると形状が変わるように、顕微鏡２の本体部２１におけるいずれか一側面に配置構成され、両端が、本体部２１に連接された第１の端及び第１の端に対して移動できる第２の端となされる支持機構３と、支持機構３の第２の端に装着されて支持され、顕微鏡２と通信可能に接続されて顕微鏡２が取得した画像を表示することができる表示ユニット４と、を備える。【選択図】図２
0003234524.tif 000002
【実用新案登録請求の範囲】
【請求項１】
所定の上下方向に沿って離間している両端部と、前記上下方向と略直交している左右方向に沿って離間している両側面と、があるように構成されている本体部と、前記本体部の下端部に配置されている対物レンズと、前記本体部の上端部に角度を調整することができるように配置されている接眼レンズと、を有すると共に、前記対物レンズにより得られた画像を取得する顕微鏡と、
両端のある長尺状となって、力を受けると形状が変わるように、前記顕微鏡の前記本体部におけるいずれか一方の前記側面に配置構成されていると共に、前記両端が、前記本体部に連接されている第１の端及び前記第１の端に対して移動することができる第２の端となされる支持機構と、
前記支持機構の前記第２の端に装着されて支持されていると共に、前記顕微鏡と通信可能に接続されていて前記顕微鏡が取得した画像を表示することができる表示ユニットと、を備えている、
ことを特徴とする歯科用顕微装置。
【請求項２】
前記支持機構は、数珠繋ぎ状の複数のボールジョイントから構成されているものであり、
また、隣り合う前記ボールジョイント同士は、力を受けると互いに揺動することができるように構成されている、
ことを特徴とする請求項１に記載の歯科用顕微装置。
【請求項３】
前記支持機構は、フレキシブルパイプである、
ことを特徴とする請求項１に記載の歯科用顕微装置。
【請求項４】
前記顕微鏡は、前記本体部のいずれか一方の前記側面から突出している第１のボールヘッドを更に有しており、
また、前記第１の端となされる前記ボールジョイントは、前記第１のボールヘッドと揺動可能に嵌合することができるように構成されている、
ことを特徴とする請求項２に記載の歯科用顕微装置。
【請求項５】
前記表示ユニットは、ケースと、前記ケースにはめ込まれているディスプレイと、前記ケースから突出している第２のボールヘッドと、を有しており、
また、前記第２の端となされる前記ボールジョイントは、前記第２のボールヘッドと揺動可能に嵌合することができるように構成されている、
ことを特徴とする請求項２または請求項４に記載の歯科用顕微装置。
【考案の詳細な説明】
【技術分野】
【０００１】
本考案は歯科用設備に関し、具体的には、補助表示機能を有する歯科用顕微装置に関する。
【背景技術】
【０００２】
歯科用顕微装置とは、歯科診療用椅子と合わせて、例えば歯周再生治療、根管治療、虫歯治療、審美セラミック治療、口腔外科などを行なうために用いられているものである。
【０００３】
図１を参照して従来の歯科用顕微装置の使用状態を説明する。ここで、図１は従来の歯科用顕微装置の使用状態が示される模式図である。
【０００４】
従来の歯科用顕微装置は、図１に示されるように、歯科用顕微鏡１２と、該歯科用顕微鏡１２と通信可能に接続されている上に歯科診療用椅子１１の一側に配置されているディスプレイ１３と、を備えている。
【０００５】
図１に示されるように、歯科医師Ａ２は、診療中に歯科用顕微鏡１２を歯科診療用椅子１１のヘッドレスト部の方（即ち、患者Ａ１の口腔の上方）に移動させて操作することで、該歯科用顕微鏡１２の対物レンズと接眼レンズにより患者Ａ１の歯を拡大して観察することができる。同時に、歯科診療用椅子１１の着座部の一側に配置されているディスプレイ１３によっても、該歯科用顕微鏡１２が取得した画像を表示することができる。
【０００６】
図１に示されるように、該歯科診療用椅子１１の一側に立つ歯科助手Ａ３は、該ディスプレイ１３に表示されている拡大画像により、患者Ａ１の口腔の状態を把握しながら、歯科医師の視線（即ち、歯科用顕微鏡による視線）を妨げないように、例えば治療器具を手渡したり口腔内の唾液を吸い取ったりする診察補助を実行することができる。
【考案の概要】
【考案が解決しようとする課題】
【０００７】
しかしながら、従来の歯科用顕微装置の使用方式によれば、診療中に歯科助手は、患者側に視線を向けたりディスプレイ側に視線を向けたりするため頭を左右に振る必要があるため、歯科助手にとって不便である。また、歯科助手がこのような動作による時間差で即時に診察補助を提供することが難しくなるので、診療効率に悪影響を及ぼす恐れがある。更に、長期にわたると歯科助手の疲労につながったり筋肉痛をもたらす可能性もある。このため、従来の歯科用顕微装置の構成を改善する余地がある。
【０００８】
よって、本考案は上記問題点に鑑みて、上記欠点を解決できる歯科用顕微装置を提供することを目的とする。
【課題を解決するための手段】
【０００９】
上記目的を達成すべく、本考案は以下の歯科用顕微装置を提供する。
【００１０】
即ち、所定の上下方向に沿って離間している両端部と、前記上下方向と略直交している左右方向に沿って離間している両側面と、があるように構成されている本体部と、前記本体部の下端部に配置されている対物レンズと、前記本体部の上端部に角度を調整することができるように配置されている接眼レンズと、を有すると共に、前記対物レンズにより得られた画像を取得する顕微鏡と、
両端のある長尺状となって、力を受けると形状が変わるように、前記顕微鏡の前記本体部におけるいずれか一方の前記側面に配置構成されていると共に、前記両端が、前記本体部に連接されている第１の端及び前記第１の端に対して移動することができる第２の端となされる支持機構と、
前記支持機構の前記第２の端に装着されて支持されていると共に、前記顕微鏡と通信可能に接続されていて前記顕微鏡が取得した画像を表示することができる表示ユニットと、を備えていることを特徴とする歯科用顕微装置を提供する。
【考案の効果】
【００１１】
上記構成により、本考案に係る歯科用顕微装置は、支持機構により表示ユニットを顕微鏡と連接するように配置し、且つ該支持機構における第１の端及び第２の端の相対位置を有段式に調整することができるので、表示ユニットを患者の口腔に近づけるように位置させれば、表示ユニットと患者の口腔との両方を同一視線方向で見ることができる。
【００１２】
よって、歯科助手が従来のように頭を振る必要がないので、使用上の便利さや診療効率を飛躍的に向上させることができるだけではなく、それによる健康障害を防止することもできる。
【図面の簡単な説明】
【００１３】
【図１】従来の歯科用顕微装置の使用状態が示される模式図である。
【図２】本考案の第１の実施形態に係る歯科用顕微装置の構成が示される一部斜視図である。
【図３】該第１の実施形態の支持機構と表示ユニットとの連接状態が示される一部斜視図である。
【図４】該第１の実施形態の支持機構と顕微鏡との連接状態が示される一部斜視図である。
【図５】該第１の実施形態の歯科用顕微装置の使用状態が示される模式図である。
【図６】本考案の第２の実施形態に係る歯科用顕微装置における支持機構の構成が示される一部斜視図である。
【考案を実施するための形態】
【００１４】
以下、本考案に係る歯科用顕微装置１００について図面を参照して説明する。
【００１５】
（第１の実施形態）
図２〜図４を参照して本考案の第１の実施形態に係る歯科用顕微装置１００の構成を説明する。ここで、図２は本考案の第１の実施形態に係る歯科用顕微装置１００の構成が示される一部斜視図であり、図３は該第１の実施形態の支持機構３と表示ユニット４との連接状態が示される一部斜視図であり、また、図４は該第１の実施形態の支持機構３と顕微鏡２との連接状態が示される一部斜視図である。
【００１６】
本考案に係る歯科用顕微装置１００は、図２に示されるように、顕微鏡２と、支持機構３と、表示ユニット４と、を備えている。
【００１７】
顕微鏡２は、図２〜図４に示されるように、本体部２１と、接眼レンズ２２と、対物レンズ２３と、一対の取っ手２４と、第１のボールヘッド２５と、を有している。
【００１８】
本体部２１は、図２に示されるように、所定の上下方向Ｌ１に沿って離間している両端部２１１、２１２、及び上下方向Ｌ１と略直交している左右方向Ｌ２に沿って離間している両側面２１３があるように構成されている。
【００１９】
接眼レンズ２２は、図２に示されるように、本体部２１の上端部２１１に角度を調整することができるように配置されている。
【００２０】
対物レンズ２３は、図２に示されるように、本体部２１の下端部２１２に配置されている。そして、顕微鏡２は、対物レンズ２３により得られた画像を取得することができるように構成されている。
【００２１】
一対の取っ手２４は、図２に示されるように、それぞれ本体部２１の各側面２１３から左右方向Ｌ２に沿って延伸するように構成され、該実施形態の歯科用顕微装置１００の位置を移動するために用いられるものである。
【００２２】
第１のボールヘッド２５は、図４に示されるように、本体部２１のいずれか一方の側面２１３から突出するように構成されている。
【００２３】
なお、本実施形態の顕微鏡２は、対物レンズ２３により得られた画像を接眼レンズ２２に結像させると共に、該画像を外部に送信できる光学系顕微鏡であるがこれに限定されず、歯科用に用いられ得る顕微鏡であればよい。また、該顕微鏡２は、図２に示されるように、双眼顕微鏡であるが、それに限定されない。
【００２４】
支持機構３は、図２〜図４に示されるように、両端のある長尺状となって、力を受けると形状が変わるように、顕微鏡２の本体部２１におけるいずれか一方の側面２１３に配置構成されているものである。また、支持機構３の上記両端は、図３及び図４に示されるように、本体部２１に連接されている第１の端３０１（図４を参照）及び第１の端３０１に対して移動することができる第２の端３０２（図３を参照）となされている。
【００２５】
なお、本実施形態では、該支持機構３は、図２〜図４に示されるように、数珠繋ぎ状になっている複数のボールジョイント３１から構成されているものである。また、隣り合うボールジョイント３１同士は、力を受けると互いに揺動することができる。更に、図４に示されるように、第１の端３０１となされるボールジョイント３１は、第１のボールヘッド２５と揺動可能に嵌合している。
【００２６】
より具体的に言うと、第２の端３０２となされるボールジョイント３１以外の各ボールジョイント３１は、内部に収容空間を画成しているハウジングと、隣り合うボールジョイント３１のハウジング内に揺動可能に嵌入されているボールヘッドと、を有している。
【００２７】
また、ハウジングの開口の直径がボールヘッドの直径より小さく構成されて、ボールヘッドが隣り合うボールジョイント３１のハウジングから脱出しないように嵌入され得る。それによって、当該複数のボールジョイント３１は、互いに連結されて長尺状となるように構成されている。
【００２８】
表示ユニット４は、図２〜図４に示されるように、支持機構３の第２の端３０２に装着されて支持されていると共に、顕微鏡２と通信可能に接続されていて顕微鏡２が取得した画像（動画、静止画を含む）を表示することができるものであり、且つ、ケース４１と、ケース４１にはめ込まれているディスプレイ４２と、ケース４１から突出している第２のボールヘッド４３と、を有している。
【００２９】
また、図３に示されるように、支持機構３の第２の端３０２となされるボールジョイント３１は、第２のボールヘッド４３と揺動可能に嵌合している。具体的に、当該第２の端３０２となされるボールジョイント３１は、図３に示されるように、両側にもハウジングを構成することによって、ケース４１から突出した第２のボールヘッド４３と、隣り合うボールジョイント３１のボールヘッドと、の両方をはめ込むことができる。
【００３０】
このような構成によって、表示ユニット４が顕微鏡２と共に移動することができることに加え、支持機構３の形状を有段式に変えることにより、表示ユニット４と顕微鏡２との相対位置を調整することができる。それだけではなく、表示ユニット４のケース４１から突出した第２のボールヘッド４３により、表示ユニット４を支持機構３に対して揺動させることができる。このため、表示ユニット４の移動操作性を向上させることができる。
【００３１】
以下、本実施形態の歯科用顕微装置１００の使用状態について説明する。ここで図５は該第１の実施形態の歯科用顕微装置１００の使用状態が示される模式図である。
【００３２】
図５に示されるように、歯科医師Ｂ２は、一対の取っ手２４により顕微鏡２を歯科診療用椅子Ｃに仰臥する患者Ｂ１の口腔の上方に移動し、接眼レンズ２２により対物レンズ２３で取得した該患者Ｂ１の歯の画像を観察して診断を実行する。同時に、歯科診療用椅子Ｃの側に立つ歯科助手Ｂ３は、表示装置４により患者Ｂ１の口腔の状態を把握すること、及び、治療器具の手渡しや唾液の吸い取りなどの診察補助を同一視線で実行できる。
【００３３】
（第２の実施形態）
図６を参照して本考案の第２の実施形態に係る歯科用顕微装置１００の構成を説明する。ここで、図６は本考案の第２の実施形態に係る歯科用顕微装置１００における支持機構３の構成が示される一部斜視図である。
【００３４】
本考案に係る歯科用顕微装置１００の第２の実施形態は、第１の実施形態と多くの構成が共通する。本実施形態の歯科用顕微装置１００において、図６に示されるように、支持機構３は、力を受けると形状が変わるフレキシブルパイプである。このような構成によって、第１の実施形態の歯科用顕微装置１００と同様な効果も得ることができる。
【００３５】
総括すると、本考案に係歯科用顕微装置１００は、支持機構３により表示ユニット４を顕微鏡２と連接するように配置し、且つ該支持機構３における第１の端３０１及び第２の端３０２の相対位置を調整することができるので、表示ユニット４を患者Ｂ１の口腔に近づくように位置し、該表示ユニット４と患者Ｂ１の口腔との両方を同一視線方向で見ることができる。
【００３６】
よって、歯科助手Ｂ３が従来のように頭を振る必要がないので、使用上の便利さや診療効率を飛躍的に向上させることができるだけではなく、それによる健康障害を防止することもできる。
【００３７】
上記実施形態のように、本考案は、その要旨を逸脱しない範囲で種々の変更が可能である。
【産業上の利用可能性】
【００３８】
上記のように構成された歯科用顕微装置は、使用上の便利さや診療効率を飛躍的に向上させることができるため、本考案は産業上の利用可能性がある。
【符号の説明】
【００３９】
１１  歯科診療用椅子
１２  歯科用顕微鏡
１３  ディスプレイ
Ａ１  患者
Ａ２  歯科医師
Ａ３  歯科助手
１００  歯科用顕微装置
２  顕微鏡
２１  本体部
２１１  上端部
２１２  下端部
２１３  両側面
２２  接眼レンズ
２３  対物レンズ
２５  第１のボールヘッド
３  支持機構
３０１  第１の端
３０２  第２の端
３１  ボールジョイント
４  表示ユニット
４１  ケース
４２  ディスプレイ
４３  第２のボールヘッド
Ｂ１  患者
Ｂ２  歯科医師
Ｂ３  歯科助手
【図１】
0003234524.tif 000003
【図２】
0003234524.tif 000004
【図３】
0003234524.tif 000005
【図４】
0003234524.tif 000006
【図５】
0003234524.tif 000007
【図６】
0003234524.tif 000008